(57)【特許請求の範囲】
【請求項１】
イ）垂直方向におかれた板状の前後方向材２１ａの略中央部に縦長略方形の開口部２１ｃが穿設され該開口部２１ｃの上下端から一方側水平方向に張出している一対の舌片状の固定片２１ｄを有する枠固着部２１と、ロ）前記前後方向材２１ａの前側面から前記一方側へ直交して延出する前板２２ｂと該前後方向材２１ａとで略Ｌ字形に形成され、該前板２２ｂに連結孔２２ｆが穿設されている錠取付部２２と、ハ）表面が実質的に平坦で前記前板２２ｂより厚い板状又はブロック状の前記連結孔２２ｆに嵌着可能な磁石１４とを備え、ニ）前記各固定片２１ｄは正規錠前側が出入りする略方形孔に嵌着可能で、且つ前記磁石１４は一方面を補助錠側に固着し他方面を前記前板２２ｂから突出させ枠前側面に吸着可能としたことを特徴とする補助錠取付具。
【請求項２】
イ）垂直方向におかれた板状の前後方向材１１ａと該前後方向材１１ａの前端一方側に直交する左右方向材１１ｂとで略Ｌ字形に形成され、該前後方向材１１ａの略中央部に縦長略方形の開口部１１ｃが穿設され該開口部１１ｃの上下端から該一方側水平方向に張出している一対の舌片状の固定片１１ｄを有する枠固着部１１と、ロ）前記左右方向材１１ｂの自由端側面から前方に延出する連結板１２ａと該連結板１２ａの自由端側面から前記一方側へ直交して延出する前板１２ｂとで略Ｌ字形に形成され、該前板１２ｂに連結孔１２ｆが穿設されている錠取付部１２と、ハ）表面が実質的に平坦で前記前板１２ｂより厚い板状又はブロック状の前記連結孔１２ｆに嵌着可能な磁石１４とを備え、ニ）前記各固定片１１ｄは正規錠前側が出入りする略方形孔に嵌着可能で、且つ前記磁石１４は一方面を補助錠側に固着し他方面を前記前板１２ｂから突出させ枠前側面に吸着可能としたことを特徴とする補助錠取付具。
【請求項３】
イ）外筒本体３２ａの軸芯部に嵌合孔３２ｃが穿設された外筒３２と、該嵌合孔３２ｃに摺動可能とされた内筒本体３３ａの前端面より鍵３１が挿着可能な鍵孔３３ｄが穿設され該内筒本体３３ａの後端側に連設された段部３３ｂの周面に切込み３３ｅが設けられ該段部３３ｂとで断面異形部が形成され該段部３３ｂに小突起３３ｆが突設されている内筒３３と、ロ）前記外筒３２及び内筒３３間に移動可能なピン群又はタンブラー群によって該内筒３３の回動を可又は否とするシリンダー錠と、ハ）円板状のカム本体３５ａの軸芯部に前記内筒３３の断面異形部が嵌着可能に穿設された中抜き３５ｂと、該カム本体３５ａ後面に突設されている円柱状の小突起３５ｃとを有するカム３５と、ニ）後部は外周の少なくとも９０度の中心角範囲に歯３４ａと残余が該歯３４ａの刃先円弧面３４ｂとで形成され軸芯部は該歯３４ａの刃底と同じ円周面３４ｃより僅かに小さく前記カム３５が摺動可能な円周面３４ｅが形成され、前部は外周が歯３４ａの刃底を超えない円周面３４ｃで軸芯部３４ｄは前記内筒本体３３ａが嵌着可能に形成され、該軸芯部３４ｄと円周面３４ｅとの境界部には前記段部３３ｂが回動可能な円弧面３４ｇと前記小突起３３ｆが回動可能な円弧面３４ｆとを組合わせた開口部が形成されている歯車３４と、ホ）板状略方形の基部３６ａと中央部上方の略方形のロック部３６ｂとで略凸形に形成され、該基部３６ａの上方と該ロック部３６ｂに跨がって上向き凹溝３６ｃと浅底下向き凹溝３６ｄとを組合せた開口部が穿設されているロック板３６と、ヘ）ばね３７と、ト）横長ブロック状のデッドボルト本体３８ａが前部側よりフラットな第一層と、中間部の中央部下端に前記歯３４ａに噛合可能なラック３８ｇが歯先を下向きに設けられた第二層と、後部下端より前記ロック部３６ｂが着脱可能な略方形状切欠部３８ｅが間隔をおいて一対配設され中間下方に略方形の突出部３８ｆを有する第三層とで一体に形成されているデッドボルト３８と、チ）略方形の座板３０と、リ）前側は基部３９ａと略中央部に前記内筒３３が操作可能な円形窓３９ｃをもった突出部３９ｂとで形成され、後側は上下端部に張出している前記座板３０と前記前板１２ｂ又は２２ｂの上下部が収納可能な一対の突片３９ｅと中央部より上方寄りに水平方向に前記デッドボルト３８が左右に摺動可能な形状の受け溝３９ｄと略中央部に前記外筒３２が嵌着可能な外筒収納孔３９ｎが該円形窓３９ｃと連通し、該外筒収納孔３９ｎの後端回りに平坦なロック板摺動面３９ｍ、縦溝３９ｊ及び３９ｋが設けられてるハウジング３９とを備え、ヌ）前記外筒３２を前記外筒収納孔３９ｎに嵌着して固着し、前記ラック３８ｇの歯先を下向きとし前記受け溝３９ｄに摺動可能とし、前記内筒本体３３ａに前記軸芯部３４ｄを摺動可能に挿着し前記小突起３３ｆは前記円弧面３４ｆに前記段部３３ｂは前記円弧面３４ｇにそれぞれ摺動可能とされ、前記歯３４ａは前記ラック３８ｇと噛合い前記内筒３３の鍵３１による回動により前記デッドボルト３８を左右に移動可能とし、前記中抜き３５ｂを前記内筒３３の断面異形部に合わせて嵌着し、前記凹溝３６ｃ及び３６ｄで形成された開口部に前記小突起３５ｃを通し、前記ロック板摺動面３９ｍ及び縦溝３９ｊに前記ロック板３６を上下に摺動可能に当接し、前記ばね３７を前記基部３６ａと下側突片３９ｅ間に介在させ前記ロック板３６を上方に付勢し、前記上下突片３９ｃと前記左右縦溝３９ｋとで囲まれた空間に前記座板３０を嵌着し固着具３０ｄにより前記ハウジング３９に該座板３０が固着されていることを特徴とする請求項１又は２の補助錠取付具に用いる補助錠。
【請求項４】
上向き凹溝３６ｃは円弧状で、下向き凹溝３６ｄは台形状で該下向き凹溝３６ｄは該上向き凹溝３６ｃの円弧の延長部分より食出さない範囲内の形状とされていることを特徴とする請求項３に記載の補助錠。
【請求項５】
ロック板３６の基部３６ａ及びロック部３６ｂの境に左右対称直線状の傾斜隅部３６ｅが設けられ、デッドボルト３８の切欠部３８ｅの左右端に前記傾斜隅部３６ｅに合わせた傾斜隅部３８ｈを有していることを特徴とする請求項３又は４に記載の補助錠。
【請求項６】
内筒本体３３ａの段部３３ｂ後端面軸芯部に先端細径部のプラグ３３ｇが突設され、座板３０の左右中央部の下寄り位置に前記プラグ３３ｇ先端が摺動可能な通し孔３０ｃが穿設され、前記通し孔３０ｃに前記プラグ３３ｇの先端を挿着して前記ハウジング３９に該座板３０が固着されていることを特徴とする請求項３〜５のいずれかに記載の補助錠。
【発明の詳細な説明】
【０００１】
【発明の属する技術分野】
本発明は、開き戸に用いられる錠前に付加して装着される補助錠の取付具及びこれに用いる補助錠の改良に関する。
【０００２】
【従来の技術】
玄関出入り口等の開き戸に用いられる錠前が窃盗団により破壊されるいわゆるピッキングが多発しているが、これの対策として正規の錠前の他に補助錠を簡易に付加することが行われており、その例として例えば図６に示す防犯錠がある。図６はこの補助錠取付金具５及び補助錠６を枠Ｘ１に取付けた状態を示す一部断面の概略平面図である。先ず取付け位置として正規の錠前から離隔した上又は下の位置を選んでスチール製枠Ｘ１の室内側角に溝を有するＬ型金具５５を両面テープにより貼付け、室外側から枠Ｘ１に沿った左右平面部５１と前後平面部５２とで断面略Ｌ字形に形成されこれに連設して室内側に断面略コ字形の挟込み部５３で形成されている取付金具５を室外側から室内側枠を挟込むようにかぶせ、挟込み部５３の室内側端末に上下一対の固定ねじ５４を出入り可能に螺着しＬ型金具５５の溝に先端を合わせてねじ込み、室外側端末の左右平面部５１に補助錠６を装着し、室外側より補助錠６のハウジング６２に内臓されたシリンダー錠を鍵によって施解錠しこれに対応して左右に移動可能なデッドボルト６１によって開閉扉Ｙの開放を抑制可能としたものである。ここで、７は扉Ｙの端部前面の固着された弾性材よりなる戸当たりである。
【０００３】
【発明が解決しようとする課題】
前記従来の補助錠取付金具５が断面略コ字形の挟込み部５３を用い固定ねじ５４の出入りの調節によって枠Ｘ１に固着しているため組立ては容易であるが、固定ねじ５４の出入り量には限度があり，多仕様の枠に柔軟に対応することは困難であり、取付け上下位置は正規の錠前の上又は下に位置をずらさなければならないという制約があり、選定や操作の面での課題を有している。又、固定ねじ５４が室内側に突出しており強度や外観の面から課題を有している。更に、補助錠６のシリンダー錠の施解錠によってデッドボルト６１の左右移動量を確保するためにはハウジングが大型となる上、デッドボルト６１端部側より方向Ｐに向けて加えられる殴打によってシリンダー錠が破壊され易いといった課題を有している。これに対し、本発明は簡易な構造で、多仕様の枠に柔軟に対応可能で、取付け位置は正規の錠前近傍とし、室内側への突出部分がなく強度や外観に優れた補助錠取付具及びこれに用いるデッドボルトの左右移動量を確保でき耐ピッキング性に優れた小型な補助錠を得ることを目的とする。
【０００４】
【課題を解決するための手段】
この目的を達成するために、
請求項１の発明にあっては、  イ）垂直方向におかれた板状の前後方向材２１ａの略中央部に縦長略方形の開口部２１ｃが穿設され該開口部２１ｃの上下端から一方側水平方向に張出している一対の舌片状の固定片２１ｄを有する枠固着部２１と、ロ）前記前後方向材２１ａの前側面から前記一方側へ直交して延出する前板２２ｂと該前後方向材２１ａとで略Ｌ字形に形成され、該前板２２ｂに連結孔２２ｆが穿設されている錠取付部２２と、ハ）表面が実質的に平坦で前記前板２２ｂより厚い板状又はブロック状の前記連結孔２２ｆに嵌着可能な磁石１４とを備え、ニ）前記各固定片２１ｄは正規錠前側が出入りする略方形孔に嵌着可能で、且つ前記磁石１４は一方面を補助錠側に固着し他方面を前記前板２２ｂから突出させ枠前側面に吸着可能とした補助錠取付具により解決した。
請求項２の発明にあっては、イ）垂直方向におかれた板状の前後方向材１１ａと該前後方向材１１ａの前端一方側に直交する左右方向材１１ｂとで略Ｌ字形に形成され、該前後方向材１１ａの略中央部に縦長略方形の開口部１１ｃが穿設され該開口部１１ｃの上下端から該一方側水平方向に張出している一対の舌片状の固定片１１ｄを有する枠固着部１１と、ロ）前記左右方向材１１ｂの自由端側面から前方に延出する連結板１２ａと該連結板１２ａの自由端側面から前記一方側へ直交して延出する前板１２ｂとで略Ｌ字形に形成され、該前板１２ｂに連結孔１２ｆが穿設されている錠取付部１２と、ハ）表面が実質的に平坦で前記前板１２ｂより厚い板状又はブロック状の前記連結孔１２ｆに嵌着可能な磁石１４とを備え、ニ）前記各固定片１１ｄは正規錠前側が出入りする略方形孔に嵌着可能で、且つ前記磁石１４は一方面を補助錠側に固着し他方面を前記前板１２ｂから突出させ枠前側面に吸着可能とした補助錠取付具により解決した。
【０００５】
請求項３の発明にあっては、イ）外筒本体３２ａの軸芯部に嵌合孔３２ｃが穿設された外筒３２と、該嵌合孔３２ｃに摺動可能とされた内筒本体３３ａの前端面より鍵３１が挿着可能な鍵孔３３ｄが穿設され該内筒本体３３ａの後端側に連設された段部３３ｂの周面に切込み３３ｅが設けられ該段部３３ｂとで断面異形部が形成され該段部３３ｂに小突起３３ｆが突設されている内筒３３と、ロ）前記外筒３２及び内筒３３間に移動可能なピン群又はタンブラー群によって該内筒３３の回動を可又は否とするシリンダー錠と、ハ）円板状のカム本体３５ａの軸芯部に前記内筒３３の断面異形部が嵌着可能に穿設された中抜き３５ｂと、該カム本体３５ａ後面に突設されている円柱状の小突起３５ｃとを有するカム３５と、ニ）後部は外周の少なくとも９０度の中心角範囲に歯３４ａと残余が該歯３４ａの刃先円弧面３４ｂとで形成され軸芯部は該歯３４ａの刃底と同じ円周面３４ｃより僅かに小さく前記カム３５が摺動可能な円周面３４ｅが形成され、前部は外周が歯３４ａの刃底を超えない円周面３４ｃで軸芯部３４ｄは前記内筒本体３３ａが嵌着可能に形成され、該軸芯部３４ｄと円周面３４ｅとの境界部には前記段部３３ｂが回動可能な円弧面３４ｇと前記小突起３３ｆが回動可能な円弧面３４ｆとを組合わせた開口部が形成されている歯車３４と、ホ）板状略方形の基部３６ａと中央部上方の略方形のロック部３６ｂとで略凸形に形成され、該基部３６ａの上方と該ロック部３６ｂに跨がって上向き凹溝３６ｃと浅底下向き凹溝３６ｄとを組合せた開口部が穿設されているロック板３６と、ヘ）ばね３７と、ト）横長ブロック状のデッドボルト本体３８ａが前部側よりフラットな第一層と、中間部の中央部下端に前記歯３４ａに噛合可能なラック３８ｇが歯先を下向きに設けられた第二層と、後部下端より前記ロック部３６ｂが着脱可能な略方形状切欠部３８ｅが間隔をおいて一対配設され中間下方に略方形の突出部３８ｆを有する第三層とで一体に形成されているデッドボルト３８と、チ）略方形の座板３０と、リ）前側は基部３９ａと略中央部に前記内筒３３が操作可能な円形窓３９ｃをもった突出部３９ｂとで形成され、後側は上下端部に張出している前記座板３０と前記前板１２ｂ又は２２ｂの上下部が収納可能な一対の突片３９ｅと中央部より上方寄りに水平方向に前記デッドボルト３８が左右に摺動可能な形状の受け溝３９ｄと略中央部に前記外筒３２が嵌着可能な外筒収納孔３９ｎが該円形窓３９ｃと連通し、該外筒収納孔３９ｎの後端回りに平坦なロック板摺動面３９ｍ、縦溝３９ｊ及び３９ｋが設けられてるハウジング３９とを備え、ヌ）前記外筒３２を前記外筒収納孔３９ｎに嵌着して固着し、前記ラック３８ｇの歯先を下向きとし前記受け溝３９ｄに摺動可能とし、前記内筒本体３３ａに前記軸芯部３４ｄを摺動可能に挿着し前記小突起３３ｆは前記円弧面３４ｆに前記段部３３ｂは前記円弧面３４ｇにそれぞれ摺動可能とされ、前記歯３４ａは前記ラック３８ｇと噛合い前記内筒３３の鍵３１による回動により前記デッドボルト３８を左右に移動可能とし、前記中抜き３５ｂを前記内筒３３の断面異形部に合わせて嵌着し、前記凹溝３６ｃ及び３６ｄで形成された開口部に前記小突起３５ｃを通し、前記ロック板摺動面３９ｍ及び縦溝３９ｊに前記ロック板３６を上下に摺動可能に当接し、前記ばね３７を前記基部３６ａと下側突片３９ｅ間に介在させ前記ロック板３６を上方に付勢し、前記上下突片３９ｅと前記左右縦溝３９ｋとで囲まれた空間に前記座板３０を嵌着し固着具３０ｄにより前記ハウジング３９に該座板３０が固着されている請求項１又は２の補助錠取付具に用いる補助錠により解決した。
請求項４の発明にあっては、上向き凹溝３６ｃは円弧状で、下向き凹溝３６ｄは台形状で該下向き凹溝３６ｄは該上向き凹溝３６ｃの円弧の延長部分より食出さない範囲内の形状とされている請求項３に記載の補助錠とするのが好ましい。請求項５の発明にあっては、ロック板３６の基部３６ａ及びロック部３６ｂの境に左右対称直線状の傾斜隅部３６ｅが設けられ、デッドボルト３８の切欠部３８ｅの左右端に前記傾斜隅部３６ｅに合わせた傾斜隅部３８ｈを有している請求項３又は４に記載の補助錠とするのが好ましい。
請求項６の発明にあっては、内筒本体３３ａの段部３３ｂ後端面軸芯部に先端細径部のプラグ３３ｇが突設され、座板３０の左右中央部の下寄り位置に前記プラグ３３ｇ先端が摺動可能な通し孔３０ｃが穿設され、前記通し孔３０ｃに前記プラグ３３ｇの先端を挿着して前記ハウジング３９に該座板３０が固着されている請求項３〜５のいずれかに記載の補助錠とするのが好ましい。
【０００６】
【発明の実施の形態】
本発明の実施の形態を図面に基づき以下詳細に説明する。
図１及び２は、本発明の補助錠取付具の第一例及び補助錠を前側及び後側よりみた分解斜視図である。
図３は、本発明の補助錠取付具の第二例を前側及び後側よりみた分解斜視図である。
図４は、本発明の補助錠のロックボルトの一例である。
図５は、  本発明の補助錠の歯車の一例である。
図６は、従来例の補助錠取付具及び補助錠を枠に取付けた状態を示す概略平面図である。
図７は、（ａ）図１、２の補助錠を組立て補助錠取付具の第一例との関係を示す斜視図である。（ｂ）（ａ）の補助錠取付具及び補助錠を枠に取付けた状態を示す概略平面図である。
図８は、図１、２の補助錠を組立て補助錠取付具の第二例との関係を示し、（ａ）左勝手の補助錠取付具及び補助錠の斜視図である。（ｂ）（ａ）の補助錠取付具及び補助錠を枠に取付けた状態を示す概略平面図である。（ｃ）右勝手の補助錠取付具及び補助錠を枠に取付けた状態を示す概略平面図である。
図９は、本発明の補助錠の作動を示し、（Ａ）解錠状態から（Ｅ）施錠状態までの各変化を示す概略裏面図である。
以下の説明において、錠前において鍵挿入による開閉操作を行う通常室外側を前方向、その反対側を後方向とし、前より後に向かって左方向、右方向及び上下とし、各部材の構成は補助錠の使用状態において説明する。又ここで左右方向は使い勝手に合わせて入替え可能であり、それらをまとめると一方、他方となるが説明の便宜上より上記した左方向、右方向として説明する。
又同様の構成要素には、同−符号を付して詳細説明を省略する。
【０００７】
本発明の補助錠取付具及び補助錠について、先ず正規の錠前が扉外面に装着されているいわゆる面付けタイプの第一例の補助錠取付具１を図１、２、７を参照して説明し、ついで正規錠前が扉内面に装着されているいわゆる埋込みタイプの第二例の補助錠取付具２を図３、８を参照して説明し、補助錠取付具１、２のいずれにも共通して用いられる補助錠３を図１、２、７、８を参照して説明する。第一例の補助錠取付具１は、枠固着部１１と、錠取付部１２と、固着具１３と、磁石１４とを有する。又後述する座板３０及び固着具３０ｄは補助錠取付具１と補助錠３との連結材として用いられるが、説明の便宜上その構成を先に説明する。ここで説明するのは図１、２の右勝手の例であり、左勝手の例では左右が逆となる。
枠固着部１１は金属製で、垂直方向におかれた板状の前後方向材１１ａと該前後方向材１１ａの前端に左側へ直交する左右方向材１１ｂとで略Ｌ字形に形成され、前後方向材１１ａには略中央部に縦長の略方形の開口部１１ｃが穿設され該開口部１１ｃの上下端から左右方向材１１ｂ側の水平方向に張出している一対の舌片状の固定片１１ｄとを有している。ここで、開口部１１ｃは後述する図７に示す枠Ｘ１に穿設されている正規錠前のラッチ又はデッドボルトが出入りする縦長の略方形孔８１と同様で該ラッチ又はデッドボルトが出入り可能な大きさとされ、固定片１１ｄの前後幅は開口部１１ｃの前後幅より僅かに小さくとられている。
錠取付部１２は金属製で、左右方向材１１ｂの自由端側面から後方向に延出する連結板１２ａと該連結板１２ａの自由端側面から左側へ直交して延出する前板１２ｂとで略Ｌ字形に形成され、前板１２ｂの自由端側面には後方向に向けて補強及び美観上のための折曲片１２ｃが設けられ、前板１２ｂのの略中央部に後述する磁石１４が嵌着可能な形状の本例では縦長略方形状連結孔１２ｆが穿設され、前板１２ｂの中央部上下端部に一対の皿付き孔１２ｄが穿設され、好ましい構成として前板１２ｂの左右端部上下に間隔をおいて補強のための複数個のリブ１２ｅが突設されている。ここで、連結孔１２ｆの穿設位置は必ずしも前板１２ｂの略中央部に限定されず、中部のいずれかであればよく、折曲片１２ｃは省略してもよい。
座板３０は後述する補助錠３のハウジング後面側に嵌着可能な形状例えば弧状の四隅部をもった略方形材で、左右中央部の下寄り位置に後述する補助錠の内筒後端のプラグの先端細径部が摺動可能な通し孔３０ｃが穿設され、中央部上下に前記皿付き孔１２ｄ及び後述する補助錠３のハウジング後面中央部上下側のねじ孔の対応位置に一対の通し孔３０ａが穿設され、後述する補助錠３のハウジング後面左又は右上下側のねじ孔の対応位置に前記通し孔１３ａの左又は右側に一対の皿付き孔３０ｂが穿設されている。
磁石１４は永久磁石で、板状で、厚みは前板１２ｂの厚みより大きくとられ、一方面は座板３０の後面に接着され、他方面は錠取付部１２の前板１２ｂに穿設された連結孔１２ｆに嵌着され前板１２ｂ後面より突出されて補助錠取付具１と補助錠３とを強固に連結し、その形状に限定はないが、後述する枠Ｘ１前面との固着を安定的に確保するには、強力な磁力をもち吸着面積を可及的に広くとれるように、ハウジングに納まる範囲内で本例に示す縦長の略方形状にとるのが好ましい。又必ずしも板状でなくブロック状であってもよいし、吸着可能であれば前板１２ｂの厚みより大きくなくてもよく、少なくとも枠Ｘ１との固着が安定的に得られるように表面が実質的に平坦であればよい。
固着具１３は皿付き孔１２ｄ、通し孔３０ａ及び後述する補助錠３のハウジング後面中央部上下側のねじ孔３９ｆに挿着可能な例えば頭付小ねじである。固着具３０ｄは皿付き孔３０ｂ及び後述するハウジング後面左上又は右下側のねじ孔３９ｇに挿着可能な例えば頭付小ねじである。
【０００８】
第二例の補助錠取付具２は、枠固着部２１と、錠取付部２２と、固着具１３及び磁石１４を有し、補助錠３とを連結するために座板３０及び固着具３０ｄを用いている。ここで、座板３０、固着具１３、３０ｄ及び磁石１４はそれぞれ第一例の補助錠取付具１において説明した通りであり詳細説明を省略する。ここで説明するのは図３の右勝手の例であり、左勝手の例では左右が逆となる。
枠固着部２１は金属製で、垂直方向におかれた板状の前後方向材２１ａの略中央部に縦長の略方形の開口部２１ｃが穿設され、開口部２１ｃの上下端から左側水平方向に張出している一対の舌片状の固定片２１ｄを有している。ここで、開口部２１ｃは後述する図８に示す枠Ｘ１に穿設されている正規錠前のラッチが出入りする縦長の略方形孔８４と同様で該ラッチが出入り可能な大きさとされ、固定片２１ｄの前後幅は開口部２１ｃの前後幅より僅かに小さくとられている。
錠取付部２２は金属製で、前後方向材２１ａの前側面から左側へ直交して延出する前板２２ｂと該前後方向材２１ａとで略Ｌ字形に形成され、前板２２ｂの自由端側面には後方に向けて折曲片２２ｃが設けられ上下略中央部に磁石１４が嵌着可能な形状の連結孔２２ｆが穿設され、前板２２ｂの中央部上下に一対の皿付き孔２２ｄが穿設され、好ましい構成として前板２２ｂの左右端部上下に間隔をおいて補強のための複数個のリブ２２ｅが突設されている。ここで折曲片２２ｃ及び連結孔２２ｆは錠取付部１２で説明したと同様に変化させてもよい。
【０００９】
次に補助錠取付具１、２のいずれかに用いられる補助錠３は、鍵３１、外筒３２、内筒３３、歯車３４、カム３５、ロック板３６、バネ３７、デッドボルト３８、ハウジング３９を有し、外筒３２と内筒３３とは後述するピン群と、ばねと、孔埋板と組合わせて公知のシリンダー錠を構成している。更に補助錠取付具１又は２と連結するため補助錠３後端部に蓋を兼ねて座板３０を用いている。
鍵３１は、握り部３１ａと該握り部３１ａから後述するシリンダーの各ピン群の出入りに対応する形状に突出形成された山部３１ｂとからなっている公知のものである。
外筒３２は、略円筒状の外筒本体３２ａの軸芯部に内筒３３が嵌合可能な嵌合孔３２ｃが穿設され、前端面３２ｄと内筒３３の軸芯部前端面３３ｃとは面一とされ、外筒本体３２ａの外周面に後端面３２ｂ側より軸芯に平行に平面視において略Ｕ字形浅底で蟻溝形の嵌合溝３２ｅが複数列例えば４列設けられ、各嵌合溝３２ｅには放射状に嵌合孔３２ｃに達する通常同径のピン孔３２ｆが穿設されている。外筒本体３２ａの外周面において嵌合溝３２ｅのない対称位置２か所に例えば円弧面状のキー溝３２ｇが設けられ、後述するハウジング３９のキー溝３９ｉと対応させてある。他に各ピン孔３２ｆには挿入される公知のボトムピン３２ｈ、ドライバー３２ｉ及び通常コイルばねのばね３２ｊとからなるピン群と、各嵌合溝３２ｅの蟻溝に後端面３２ｂ側よりピン孔３２ｆからのピン群の飛出し防止のために圧入される孔埋板３２ｋとを有している。
内筒３３は、嵌合孔３２ｃに嵌合され摺動可能とされた略円筒状の内筒本体３３ａの軸芯部前端面３３ｃ側より鍵３１の山部３１ｂが挿着可能な鍵孔３３ｄが穿設され、内筒本体３３ａの後端側に段部３３ｂが連設され、段部３３ｂの後端周面に平行面の切込み３３ｅが設けられ該段部３３ｂと切込み３３ｅとで断面異形部が形成され、切込み３３ｅの直前の段部３３ｂ周面に円柱状の小突起３３ｆが外側に向けて突設され、段部３３ｂ後端面軸芯部に後側に向けて前記断面異形部より先端細径部を有する段付きプラグ３３ｇが突設され、図示省略するが内筒本体３３ａには嵌合孔３２ｃとの嵌合状態において各ピン孔３２ｆと連通する対応位置に軸芯部に向けて放射状に浅底のめくらピン孔が穿設されている。小突起３３ｆは先端が内筒本体３３ａの外周面から突出しない高さにとられている。ここで、プラグ３３ｇは必ずしも段付きでなく円柱状であってもよいが、座板３０との組立上は段付きとした方が好ましい。又切込み３３ｅは必ずしも平行面でなくてもよく断面異形部が形成されればよく、小突起３３ｆは円柱状でなく異形であってもよい。
【００１０】
歯車３４は、後部は外周の少なくとも９０度の中心角範囲に切られた歯３４ａと残余の該歯３４ａの刃先円弧面３４ｂとを連設し軸芯部は歯３４ａの刃底と同じ円周面３４ｃより僅かに小さく後述するカム３５が摺動可能な大きさの円周面３４ｅが形成され、前部は外周が歯３４ａの刃底と同じ又はこれを超えない円周面３４ｃで軸芯部３４ｄは内径が内筒本体３３ａが嵌着可能な大きさのリング状体に形成され、軸芯部３４ｄと円周面３４ｅとの境界をなす中部は後述する組立て時に段部３３ｂが回動可能な大きさの円弧面３４ｇと小突起３３ｆが回動可能な大きさの円弧面３４ｆとを組合わせた開口部が形成されている。ここで、円弧面３４ｇは円弧面３４ｆに比し半径を小さくとられ、内筒３３の回動により小突起３３ｆが円弧面３４ｆ及び３４ｇの境界３４ｈのいずれかに達したときに歯車３４を回動可能としている。本例では境界３４ｈの間にある円弧面３４ｇは円周角δで例えば１２０度にとられ、歯３４ａの歯切り範囲は円周角β＋γで例えば１４０＋２０＝１６０度にとられているが、この角度を調整して後述するデッドボルト３８の左右移動量を調整可能である。
カム３５は、円板状のカム本体３５ａと該カム本体３５ａの軸芯部に前記内筒３３の段部３３ｂと切込み３３ｅとで形成された断面異形部が嵌着可能な形状の中抜き３５ｂが穿設され、中抜き３５ｂの切込み３３ｅに合わせた面の一方中央部と外周間に円柱状の小突起３５ｃが後側に向けて突設されている。
ロック板３６は、板状略方形の基部３６ａと該基部３６ａの中央部上方に連設された左右幅ｗ×上下高さｈの略方形のロック部３６ｂとで略凸形に形成され、基部３６ａの上方とロック部３６ｂに跨がって円弧状の上向き凹溝３６ｃと台形状の下向き凹溝３６ｄとを組合わせて形成された開口部が穿設され、基部３６ａとロック部３６ｂとの境に開口部によって肉厚が薄くなるのを防止するために左右対称形で角度αをなす直線傾斜状の傾斜隅部３６ｅが設けられている。傾斜隅部３６ｅは補強のためのもので必須要素ではなく、基部３６ａとロック部３６ｂを略直角につなげてもよい。ここで、下向き凹溝３６ｄは上向き凹溝３６ｃの円弧の延長部分より食出さない範囲内の大きさとされ、本例では左右対称形で角度αをなす直線傾斜部分と中央の直線水平部分とで台形状とされこの形状によって、後述するロック板３６動作として急激な下降が行い得るので好ましいが、下降はやや緩やかとはなるものの下向き凹溝３６ｄを上向き凹溝３６ｃより曲率の小さい湾曲面状としてもよい。ここで、傾斜の角度αは例えば１１０度にとられている。
ばね３７は、通常ねじりコイルばねで、中央部のコイル部から上下に先端腕部を有しているが、弓形の板ばねや圧縮コイルばねを用いることもできる。
デッドボルト３８は、成型し易い金属例えば亜鉛ダイキャスト等で得られた横長略方形ブロック状のデッドボルト本体３８ａと、破壊に対する補強のため好ましい付加要素として例えば焼入れ鋼製丸棒の補強材３８ｂとキャップ３８ｃを有している。デッドボルト本体３８ａは前部の切込みなしの第一層と、中間部の左右中央部下端に歯車３４の歯３４ａと噛合可能なラック３８ｇが歯先を下向きとして設けられた第二層と、後部の下端より左右幅ｗ×上下高さｈのロック板３６のロック部３６ｂが着脱可能な僅かに大きい左右幅Ｗ×上下高さＨの略方形状切欠部３８ｅが間隔をおいて左右に一対配設され中間下方に略方形の突出部３８ｆと左右端にロック板３６の傾斜隅部３６ｅに合わせ角度αをなす傾斜隅部３８ｈとを有する第三層が一体に形成され、デッドボルト本体３８ａ側面より第二層のラック３８ｇを避けた中央部水平方向に円柱状の補強材３８ｂ及びそのキャップ３８ｃとが嵌着可能なめくら丸孔３８ｄが設けられ、ラック３８ｇは歯先を下向きとして立てた状態で使用される。ここで、通常第二層の前後厚みは第一層及び第三層の前後厚みより厚くとられている。又ラック３８ｇは歯先は下向きでなく上向きとしても使用可能ではあるが、ゴミや塵埃等の集積防止の点からは歯先を下向きとするのが好ましい。ここで、第一層乃至第三層は一体に形成されているが、それぞれを別体として作り溶着又はねじ等によって固着してもよいが、量産のときは一体としたほうがコスト安である。ここでデッドボルト本体３８ａは必ずしも略方形でなくてもよく、円柱、多角形又はこれらの組合わせであって横長ブロック状であればよい。又傾斜隅部３６ｅが省略される場合は、傾斜隅部３８ｈも省略される。
【００１１】
ハウジング３９は、補助錠３の外筒３２、内筒３３、歯車３４、カム３５、ロック板３６、バネ３７、デッドボルト３８、座板３０、磁石１４、固着具１３、及び３０ｄを収納している。
ハウジング３９の前側は、略船体形の基部３９ａと、基部３９ａの前側略中央部に内筒３３の後端面３３ｃより僅かに小さい円形窓３９ｃをもった略円筒状突出部３９ｂとで形成されている。
ハウジング３９の後側は、上下端部に張出している座板３０と前板１２ｂ又は２２ｂの上下部が収納可能な一対の湾曲面状の突片３９ｅと、中央部より上方寄りに水平方向にデッドボルト３８がラック３８ｇの歯先を下向きとして立てた状態で左右に摺動可能なような上下幅をもった略コ字形の受け溝３９ｄと、後側より略中央部に外筒３２が嵌着可能な大きさに穿設された外筒収納孔３９ｎが前端は小径の円形窓３９ｃと連通し、外筒収納孔３９ｎの上下に外筒３２のキー溝３２ｇに対応する一対の例えば円弧面状のキー溝３９ｉが刻込まれ別途キー溝３２ｇ及び３９ｉを合わせて挿着される本例では丸棒状の−対のキー３９ｐが用意されている。又外筒収納孔３９ｎの後端回りに平坦なロック板摺動面３９ｍを設け該ロック板摺動面３９ｍの左右端部に沿って後側に向けてロック板３６の基部３６ａが上下に摺動可能な幅及び前後厚みをもった縦溝３９ｊが設けられ、縦溝３９ｊの後側に座板３０が収納可能な幅及び前後厚みをもった上下の縦溝３９ｋが連設されている。さらにロック板摺動面３９ｍの下端一方寄り（図２では前から視て左側）にばね３７の中心コイルを挿着支持可能な略円柱状の小突起３９ｈが突設され、小突起３９ｈの他方寄り（図２では前から視て右側）で下方の突片３９ｅ直上位置及び外筒収納孔３９ｎの軸芯に対し略対称の一方寄りで上方の突片３９ｅ直下位置に座板３０に挿着された固着具３０ｄが螺合可能なねじ孔３９ｇが設けられ、各ねじ孔３９ｇに隣合う中央部位置に前板１２ｂの皿付き孔１２ｄと座板３０の通し孔３０ａ又は前板２２ｂの皿付き孔２２ｄと座板３０の通し孔３０ａに挿着された固着具１３が螺合可能なねじ孔３９ｆが設けられている。上下のねじ孔３９ｆ及び３９ｇの後端面３９１は上下同一平面上におかれ、後述する補助錠３の組立てで最後に座板３０を固着したとき、ロック板３６が上下に及びロックボルト３８が左右にそれぞれ移動可能な高さにとられている。
ここで受け溝３９ｄの形状は略コ字形とデッドボルト本体３８ａの略方形に合わせてあるが、デッドボルト本体３８ａが他の形状の場合には略これに合わせた形状とし、デッドボルト３８が左右に摺動可能とすればよい。
ロック板摺動面３９ｍの下方部分及び／又は外筒収納孔３９ｎの上方部分に図示する空隙部分を設けてあるがこれは材料節約と製造時の歪み防止のためのものであって必須の構成ではない。
【００１２】
前記したシリンダー錠では、内筒３３と外筒３２間に移動可能なピン群を介在させているが、前記ピン群に代えて公知の他のピン群や各種タンブラー群を用いたシリンダー錠とすることもできる。
又座板３０には通し孔３０ｃが穿設されこれにプラグ３３ｇ先端が摺動可能とされており内筒３３軸芯部の安定化のためには好ましいが、必須要素ではなく通し孔３０ｃ及びプラグ３３ｇは省略してもよい。
【００１３】
次に補助錠３の組立てについて説明する。
先ず外筒３２の嵌合孔３２ｃに後側より内筒３３の内筒本体３３ａを挿着して外筒３２の前端面３２ｄと内筒３３の軸芯部前端面３３ｃと面一として外筒３２及び内筒３３を組合わせ、各ピン孔３２ｆにボトムピン３２ｈ、ドライバー３２ｉ及びばね３２ｊの組を挿着し突出しないように各嵌合溝３２ｅの蟻溝に孔埋板３２ｋで押さえた状態でハウジング３９後側の外筒収納孔３９ｎに外筒３２を嵌着し、対称位置にあるキー溝３２ｇと対応するキー溝３９ｉとを合わせてキー３９ｐを後側より挿入して外筒３２をハウジング３９に対し不動状態に固着する。
次に、デッドボルト３８をラック３８ｇの歯先を下向きとし第一層を前側、第三層を後側にしてハウジング３９の受け溝３９ｄに左右に摺動可能に嵌着する。
次に、ハウジング３９内に収納されて後側より突出している内筒本体３３ａに歯車３４の軸芯部３４ｄを摺動可能に挿着し、同時に小突起３３ｆは大径の円弧面３４ｆに及び段部３３ｂは小径の円弧面３４ｇにそれぞれ回動可能とされ、歯車３４の歯３４ａはラック３８ｇの歯先と噛合い内筒３３の鍵３１による回動により歯車３４が回動しデッドボルト３８を左右に移動可能とされる。このとき内筒３３後端の段部３３ｂと切込み３３ｅとで形成された断面異形部の後部及びプラグ３３ｇは後方に突出状態とされている。
次に、カム３５の中抜き３５ｂを内筒３３の前記断面異形部に合わせて嵌着するが、このときカム本体３５ａ、内筒３３の断面異形部及び歯車３４の各後面は面一となり、プラグ３３ｇ及び小突起３５ｃが後方に突出状態とされている。
次に、ロック板３６の上向き凹溝３６ｃと下向き凹溝３６ｄとを組合わせて形成された開口部にカム３５のプラグ３３ｇの根元部及び小突起３５ｃを通し、ハウジング３９の縦溝３９ｊ及びロック板摺動面３９ｍにロック板３６を上下に摺動なように当て、ばね３７を基部３６ａの下端とハウジング３９の下側突片３９ｃとに先端腕部がそれぞれ当接するように配設して小突起３９ｈにコイル部を挿着して基部３６ａを上方に付勢する。このとき、ロック板３６のロック部３６ｂは上方位置にあってはロックボルト３８の切欠部３８ｅに遊嵌可能とされ、上向き凹溝３６ｃと下向き凹溝３６ｄとを組合わせた開口部からプラグ３３ｇの先端細径部が後方に突出状態とされている。
最後に、ハウジング３９の上下の突片３９ｅと左右の縦溝３９ｋで囲まれた空間に座板３０を蓋として嵌着し、座板３０の通し孔３０ｃにプラグ３３ｇの先端細径部を挿着し、上下の皿付き孔３０ｂに固着具３０ｄを挿着してハウジング３９の上下のねじ孔３９ｇに螺合して補助錠３の組立てを終了する。補助錠取付具１、２との組立てには後述する通り座板３０の後面略中央部に磁石１４を接着させて行う。
【００１４】
補助錠取付具１、２の組立てを図７、８について説明する。
図７に示す第一例の補助錠取付具１は、右勝手の面付けタイプの扉Ｙ及びスチール製枠Ｘ１に装着される例で、組立て完了した補助錠３の座板３０の後面に接着させた磁石１４を錠取付部１２の連結孔１２ｆに貫通し、前板１２ｂの後面から磁石１４を突出させ、皿付き孔１２ｄ、通し孔３０ａ及びねじ孔３９ｆに固着具１３を螺合して補助錠取付具１と補助錠３を固着する。次いで、枠Ｘ１に穿設されている正規錠前のラッチが出入りする縦長の略方形孔８１に枠固着部１１の固定片１１ｄを嵌着し、枠Ｘ１の扉Ｙと向合う右側面に左右方向材１１ｂが左右に沿い及び錠取付部１２の連結板１２ａが前後に沿って配設され、前板１２ｂの後面から突出している磁石１４を枠Ｘ１前側面に吸着させ補助錠取付具１及び補助錠３を枠Ｘ１への強固な取付けが完了する。
図８に示す第二例の補助錠取付具２は、埋込みタイプの扉Ｙ及びスチール製枠Ｘ２又はＸ３に装着され、（ａ）（ｂ）は左勝手、（ｃ）は右勝手の例で、組立て完了した補助錠３の座板３０の後面に接着させた磁石１４を錠取付部２２の連結孔２２ｆに貫通し、前板２２ｂの後面から磁石１４を突出させ、皿付き孔２２ｄ、通し孔３０ａ及びねじ孔３９ｆに固着具１３を螺合して補助錠取付具２と補助錠３を固着する。次いで正規錠前のラッチがストライク受け板８３に穿設された縦長の略方形孔８４から枠Ｘ２又はＸ３内に収納されたストライクに出入り可能とされている該略方形孔８４を通して枠固着部２１の固定片２１ｄを嵌着し、枠Ｘ２又はＸ３が扉Ｙの側端面と向合う左又は右側面に前後方向材２１ａが前後に沿って配設され、前板２２ｂの後面から突出している磁石１４を枠Ｘ２又はＸ３前側面に吸着させ補助錠取付具２及び補助錠３の枠Ｘ２又はＸ３への強固な取付けが完了する。
本発明の補助錠取付具１、２は、固定片１１ｄ又は２１ｄを略方形孔８１又は８４に嵌着し、磁石１４と枠Ｘ１、Ｘ２又はＸ３前側面との吸着というごく単純な調整のみで、正規錠前の近傍に容易に強固に取付けができる。
又本発明の補助錠３は、補助錠取付具１、２を介して枠Ｘ１、Ｘ２又はＸ３、及び扉Ｙに対応して装着することができ、前側より鍵孔３３ｄへの鍵３１の挿着によるシリンダー錠の開閉操作によってロックボルト３８を左右に移動させ戸当り７を介して扉Ｙの開閉いずれかの状態に保持可能である。
本発明の補助錠取付具１、２に取付けられる補助錠は、必ずしも補助錠３に限定されず、錠取付部１２又は２２に他形式の補助錠を固着して用いることもできる。
【００１５】
補助錠３の作動について、図９（Ａ）〜（Ｅ）の各図に対応して各構成部材毎に分けて順次説明するが、（Ａ）解錠状態から始まり矢印に従って変化し、（Ｅ）施錠状態で終了し本例は右勝手の場合である。図９は補助錠３から座板３０を取外して後部側より視た状態を示しているが、ここでの左右の表示は前記した通りシリンダー錠を鍵３１挿入による開閉操作を行う通常室外側を前とし、前から後に視て左右とし、又回動部分の角度は前から後に視て上端を０度、下端を１８０度とし、０度位置から時計回りＲの角度で表示して説明するので、図９の見掛上の左右とは入替わっている。
（Ａ）解錠状態
鍵３１：山部３１ｂが内筒３３の鍵孔３３ｄに出入れ可能な位置で本例では握り部３１ａが垂直の０度位置におかれる。
内筒３３：後端の切込み３３ｅは水平方向におかれ、小突起３３ｆは１８０度の位置におかれる。
カム３５：切込み３３ｅと同様中抜き３５ｂの平行面部分は水平方向におかれ小突起３５ｃは０度の位置におかれる。
歯車３４：歯３４ａは大部分左半分に、円弧面３４ｂは大部分右半分におかれる。
ロック板３６：上端位置にあり、ロック部３６ｂはデッドボルト３８の右側の切欠部３８ｅに嵌着され、傾斜隅部３６ｅ及び３８ｈが接している。
ばね３７：上側の先端腕部が伸び上端位置におかれている。
デッドボルト３８：最左端位置におかれ左側Ｐ方向のみで右側Ｑ方向には突出部分がないので、扉Ｙの開放を妨げることがない。
（Ｂ）ロック板解除
鍵３１：握り部３１ａを時計回りＲに１８０度回転し（Ａ）と逆向きとする。
内筒３３：握り部３１ａの回転に連動して１８０度回転し後端の切込み３３ｅは水平方向におかれ、小突起３３ｆは０度の位置におかれる。
カム３５：内筒３３の切込み３３ｅから中抜き３５ｂが連動し１８０度回転し平行面部分は水平方向におかれ、小突起３５ｃは１８０度の位置におかれる。
歯車３４：回転せず、（Ａ）と同じ位置にとどまっている。
ロック板３６：回転する小突起３５ｃが下向き凹溝３６ｄの位置に達したときロック板３６を押下げ下限位置に下降する。
ばね３７：下降するロック板３６の基部３６ａ下端によって先端腕部が下端位置に圧縮される。
デッドボルト３８：移動せず、（Ａ）と同じ位置にとどまっている。
（Ｃ）歯車・デッドボルト作動開始
鍵３１：握り部３１ａを時計回りＲに更に６０度回転し２４０度の位置におかれる。
内筒３３：握り部３１ａの回転に連動して更に６０度回転し後端の切込み３３ｅは傾斜方向におかれ、小突起３３ｆは６０度の位置におかれる。
カム３５：内筒３３の回転が切込み３３ｅから中抜き３５ｂが連動し平行面部分は傾斜方向におかれ、小突起３５ｃは２４０度の位置におかれる。
歯車３４：最初は停止しているが角度γが１２０度で余角が２４０度の例のとき内筒３３の回動により小突起３３ｆが円弧面３４ｆと円弧面３４ｇの境界３４ｈに達したとき歯車３４の駆動を開始せしめ、歯３４ａは右半分側に移り始め、円弧面３４ｂは左半分側に移り始める。
ロック板３６：小突起３５ｃが下向き凹溝３６ｄから上向き凹溝３６ｃの位置に達したときばね３７の上向き反発力によってロック板３６を押上げ僅かに上昇せしめるが、デッドボルト３８の右側Ｑ方向への駆動開始によって突出部３８ｆ下端にロック部３６ｂの上端が当接した中間位置におかれる。
ばね３７：ロック板３６の基部３６ａ下端に先端腕部が上向きの反発力を加える。
デッドボルト３８：歯車３４の回動によってラック３８ｇが僅かに駆動され右側Ｑ方向への突出を開始する。
【００１６】
（Ｄ）歯車・デッドボルト作動継続
鍵３１：握り部３１ａを反時計回りに更に９０度回転し３３０度の位置におかれる。
内筒３３：握り部３１ａの回転に連動して更に９０度回転し後端の切込み３３ｅは傾斜方向におかれ、小突起３３ｆは１５０度の位置におかれる。
カム３５：内筒３３の回転が切込み３３ｅから中抜き３５ｂが連動し平行面部分は傾斜方向におかれ、小突起３５ｃは３３０度の位置におかれる。
歯車３４：内筒３３の回動により小突起３３ｆが歯車３４を更に継続して回転せしめ、歯３４ａは更に右半分側に円弧面３４ｂは左半分側に移る。
ロック板３６：歯車３４の回転継続によりデッドボルト３８は更に右側Ｑ方向へ駆動されるが、突出部３８ｆ下端にロック部３６ｂの上端が当接した（Ｃ）の状態が継続する。
ばね３７：（Ｃ）と同じ状態にとどまっている。
デッドボルト３８：歯車３４の回転継続により更に右側Ｑ方向へ駆動される。
（Ｅ）歯車停止、ロック板固定、施錠状態
鍵３１：握り部３１ａを反時計回りに更に１０度回転し３６０（０）度の、（Ａ）と同じ位置におかれる。
内筒３３：握り部３１ａの回転に連動して更に１０度回転し後端の切込み３３ｅは水平方向におかれ、小突起３３ｆは１８０度の位置におかれる。
カム３５：内筒３３の回転に中抜き３５ｂが連動し平行面部分は水平方向におかれ、小突起３５ｃは３６０（０）度の、（Ａ）と同じ位置におかれる。
歯車３４：内筒３３の回動により小突起３３ｆが歯車３４を更に回転せしめ歯３４ａは大部分右半分に、円弧面３４ｂは大部分左半分で（Ａ）と左右対称の位置におかれる。
ロック板３６：歯車３４の回転継続によりロックボルト３８は更に右側Ｑ方向へ駆動され、ロック部３６ｂはばね３７の加圧によってデッドボルト３８の左側の切欠部３８ｅに嵌着され、傾斜隅部３６ｅ及び３８ｈが接している。
ばね３７：（Ａ）と同じく上側の先端腕部が上昇して上端位置におかれている。
ロックボルト３８：歯車３４の回転継続により最右端Ｑ方向位置におかれ左側Ｐ方向には突出部分がないので扉Ａの開放を完全に阻止する。この位置でロックボルト３８に左側Ｐ方向への破壊力が加わった場合には、突出部３８ｆからロック部３６ｂ及び基部３６ａから縦溝３９ｊへ大部分の力が作用し、シリンダー錠への衝撃は緩和される。
以上の補助錠３の解錠状態から施錠状態に至る作動を要約すると、下記の２つの作動を組合せたものとなる。
１）鍵３１回転→内筒３３回転の回転により切込み３３ｅ回転→カム３５回転により小突起３５ｃ回転→ロック板３６は上向き凹溝３６ｃと下向き凹溝３６ｄとで形成された開口部を通し上下に移動→ロック部３６ｂはばね３７の加圧によりデッドボルト３８の切欠部３８ｅと着脱する。
２）内筒３３の回転により小突起３３ｆ回転→小突起３３ｆは歯車３４の大径の円弧面３４ｆでは歯車３４を駆動せず移動、円弧面３４ｆ及び３４ｇの境界３４ｈに達したとき歯車３４を駆動開始→歯車３４の回転によりロックボルト３８を右側Ｑ方向へ駆動し解錠から施錠状態に変化する。
一方施錠状態から解錠状態に至る場合に又左勝手の場合には、上記の順序を逆にして変化する。
【００１７】
【発明の効果】
本発明は補助錠取付具は、簡易な構造で、多仕様の寸法の枠に柔軟に対応可能で、取付け位置が正規の錠前近傍であって、室内側への突出部分がなく強度や外観に優れている。又本発明の補助錠はデッドボルトの移動量を大きく確保でき、小型で耐ピッキング性に優れている。
【図面の簡単な説明】
【図１】本発明の右勝手の補助錠取付具の第一例及び補助錠を前側よりみた分解斜視図である。
【図２】図１の補助錠取付具の第一例及び補助錠を後側よりみた分解斜視図である。
【図３】本発明の右勝手の補助錠取付具の第二例を（ａ）前側及び（ｂ）後側よりみた分解斜視図である。
【図４】本発明の補助錠のロックボルトの一例で、（ａ）上下逆向き正面図、（ｂ）底面図、（ｃ）側面図である。
【図５】本発明の補助錠の歯車の一例で（ａ）正面図、（ｂ）Ａ・Ａ断面図、及びロック板の一例で（ｃ）上下逆向き正面図、（ｄ）側面図である。
【図６】従来例の右勝手の補助錠取付具及び補助錠を枠に取付けた状態を示す概略平面図である。
【図７】（ａ）図１、２の補助錠を組立て右勝手の補助錠取付具の第一例との関係を示す斜視図である。（ｂ）（ａ）の補助錠取付具及び補助錠を枠に取付けた状態を示す概略平面図である。
【図８】（ａ）図１、２の補助錠を組立て左勝手の補助錠取付具の第二例との関係を示す斜視図である。（ｂ）（ａ）の補助錠取付具の第二例及び補助錠を枠に取付けた状態を示す概略平面図である。（ｂ）右勝手の補助錠取付具の第二例及び補助錠を枠に取付けた状態を示す概略平面図である。
【図９】図１、２、７、８の補助錠の作動を示し、（Ａ）解錠状態から（Ｅ）施錠状態までの各変化を示す概略裏面図である。
【符号の説明】
１、２  補助錠取付具
３、６  補助錠
１１、２１  枠固着部
１１ａ、２１ａ  前後方向材
１１ｂ  左右方向材
１１ｃ、２１ｃ  開口部
１１ｄ、２１ｄ  固定片
１２、２２  錠取付部
１２ａ  連結板
１２ｂ、２２ｂ  前板
１２ｃ、２２ｃ  折曲片
１２ｆ、２２ｆ  連結孔
１３、３０ｄ  固着具
１４  磁石
３０  座板
３０ａ、３０ｃ  通し孔
３１、６１  鍵
３２  外筒
３２ａ  外筒本体
３２ｃ  嵌合孔
３２ｅ  嵌合溝
３２ｆ  ピン孔
３２ｇ、３９ｉ  キー溝
３２ｈ  ボトムピン
３２ｉ  ドライバーピン
３２ｊ、３７  ばね
３２ｋ  孔埋板
３３  内筒
３３ａ  内筒本体
３３ｂ  段部
３３ｄ  鍵孔
３３ｅ  切込み
３３ｆ、３５ｃ、３９ｈ  小突起
３３ｇ  プラグ
３４  歯車
３４ａ  歯
３４ｂ、３４ｆ、３４ｇ  円弧面
３４ｃ、３４ｅ  円周面
３４ｄ  軸芯部
３４ｈ  境界
３５  カム
３５ａ  カム本体
３５ｂ  中抜き
３６  ロック板
３６ａ、３９ａ  基部
３６ｂ  ロック部
３６ｃ、３６ｄ  凹溝
３６ｅ、３８ｈ  傾斜隅部
３８、６２  デッドボルト
３８ａ  デッドボルト本体
３８ｂ  補強材
３８ｃ  キャップ
３８ｅ  切欠部
３８ｆ  突出部
３８ｇ  ラック
３９  ハウジング
３９ｃ  円形窓
３９ｄ  受け溝
３９ｅ  突片
３９ｊ、３９ｋ  縦溝
３９ｍ  ロック板摺動面
３９ｎ  外筒収納孔
Ｘ１〜Ｘ３  枠
Ｙ  扉
【図１】
0003671350.tif 000002
【図２】
0003671350.tif 000003
【図３】
0003671350.tif 000004
【図４】
0003671350.tif 000005
【図５】
0003671350.tif 000006
【図６】
0003671350.tif 000007
【図７】
0003671350.tif 000008
【図８】
0003671350.tif 000009
【図９】
0003671350.tif 000010